(57)【要約】【課題】  袋体の側壁シートの上縁以外の箇所にも安定した状態で取り付けることができる提手構造体を提供する。【解決手段】  提手構造体１４ａにおいて、袋体を構成する側壁シート１６ａの外面には、提手部本体２１が接続されるオス型取付体２２ａが粘着剤３５ａを介して取り付けられている。オス型取付体２２ａの内面側に形成されている突起体２４ａ〜突起体２４ｃの各々は側壁シート１６ａを貫通してその内面に突き出ている。側壁シート１６ａの内面側には、突起体２４ａ〜突起体２４ｃの各々が挿通できる開口２８ａ〜開口２８ｃを有するメス型取付体２６ａがセットされている。メス型取付体２６ａの外面側から突き出ている突起体２４ａ〜突起体２４ｃの各々は、超音波振動によってその先端が溶着されてメス型取付体２６ａと一体化する。【選択図】      図３
2008137696.tif 000002
【特許請求の範囲】
【請求項１】
袋体に取り付けられた提手構造体であって、
帯状の提手部本体と、
前記袋体を構成する側壁シートの外面に取り付けられ、前記提手部本体の両端に接続された一対のオス型取付体と、
前記側壁シートの内面であって、前記オス型取付体の各々に対向する位置に取り付けられる一対のメス型取付体とを備え、
前記オス型取付体の各々には、前記側壁シートを貫通して前記側壁シートの内面側に延びる少なくとも１つの突起体が形成され、
前記メス型取付体の各々には、前記内面側に延びた前記突起体を挿通自在とする開口が形成される、提手構造体。
【請求項２】
前記オス型取付体及び前記メス型取付体のいずれか一方は、前記側壁シートに貼り付けられ、
前記突起体は、前記メス型取付体に対して抜け止め状態に固定される、請求項１記載の提手構造体。
【請求項３】
前記突起体及び前記メス型取付体は合成樹脂よりなり、前記突起体は、その先端が超音波振動によって溶着されて前記メス型取付体に固定される、請求項２記載の提手構造体。
【請求項４】
前記オス型取付体及び前記メス型取付体のいずれも前記側壁シートに貼り付けられる、請求項１記載の提手構造体。
【請求項５】
前記袋体は、上部がスライダーによって開閉自在のファスナーを有する保冷袋を含む、請求項２から請求項４のいずれかに記載の提手構造体。
【請求項６】
袋体に取り付けられた提手構造体であって、
帯状の提手部本体と、
前記袋体を構成する側壁シートの外面に取り付けられ、前記提手部本体の両端に接続された一対のメス型取付体と、
前記側壁シートの内面であって、前記メス型取付体の各々に対向する位置に取り付けられる一対のオス型取付体とを備え、
前記オス型取付体の各々には、前記側壁シートを貫通して前記側壁シートの外面側に延びる少なくとも１つの突起体が形成され、
前記メス型取付体の各々には、前記外面側に延びた前記突起体を挿通自在とする開口が形成される、提手構造体。
【発明の詳細な説明】
【技術分野】
【０００１】
この発明は提手構造体に関し、特に保冷袋等の袋体に取り付けられた提手構造体に関するものである。
【背景技術】
【０００２】
図６は特許文献１等に示されている、従来の袋物の外観形状を示した斜視図であり、図７は図６で示した提手の概略形状を示した斜視図であり、図８は図６で示したＶＩＩＩ−ＶＩＩＩラインの拡大断面図である。
【０００３】
これらの図を参照して、紙袋６１は、上方が開放された袋体６３と、袋体６３の上端に取り付けられた一対の提手６４ａ，提手６４ｂとから構成されている。尚、袋体６３は対向状態に配置された一対の側壁シート６６ａ，側壁シート６６ｂによって構成され、提手６４ａ，提手６４ｂの各々は側壁シート６６ａ，側壁シート６６ｂの各々の上端に取り付けられている。
【０００４】
図７に示されているように、提手６４ａは合成樹脂の射出成形によって形成され、帯状の提手部本体６８と、提手部本体６８の一方端に一体的に形成された一対のオス型取付片７０ａ，メス型取付片７３ａと、提手部本体６８の他方端に一体的に形成されたオス型取付片７０ｂ，メス型取付片７３ｂとから構成されている。オス型取付片７０ａの内方面には２つの係止突起７１ａ，係止突起７１ｂが形成されている。一方、メス型取付片７３ａには係止突起７１ａ，係止突起７１ｂの各々に対向する位置で、且つこれらが貫通して係合できる係止孔７４ａ，係止孔７４ｂが形成されている。又、メス型取付片７３ａには、その外方面に嵌合突片７６ａが形成されている。
【０００５】
提手６４ａの側壁シート６６ａへの取付けに際しては、図８に示されているように、オス型取付片７０ａを側壁シート６６ａに対して外面側に配置し、側壁シート６６ａの上端をメス型取付片７３ａとでよって挟むようにしてセットする。そして、オス型取付片７０ａに形成されている係止突起７１ａ，係止突起７１ｂを側壁シート６６ａに貫通させ、更に係止孔７４ａ，係止孔７４ｂをも貫通させてメス型取付片７３ａに係合させる。
【０００６】
係止突起７１ａ，係止突起７１ｂの先端部分は、図示されているように抜け止め効果を発するように形成されているため、係止孔７４ａ，係止孔７４ｂを貫通させた状態では抜け止め状態となる。このようにして、オス型取付片７０ａ，メス型取付片７３ａを介して提手６４ａは側壁シート６６ａの上端に一体的に接続される。提手部本体６８に対して反対側のオス型取付片７０ｂ，メス型取付片７３ｂも同様にして側壁シート６６ａの上端部分に接続される。
【０００７】
提手６４ｂも同様にして側壁シート６６ｂの上端に接続することによって図６に示したような紙袋６１が完成する。尚、図７に示されているようにメス型取付片７３ａ，メス型取付片７３ｂの各々の外面には嵌合突片７６ａ，嵌合突片７６ｂが形成されている。従って、図６に示されている状態で提手６４ａと提手６４ｂとにおける互いに対向状態に配置されている嵌合突片７６の各々を係合させることによって、側壁シート６６ａ，側壁シート６６ｂの上端部分を部分的に閉じた状態にして紙袋６１を使用することが可能となる。
【特許文献１】実公平８−６７５７号公報
【発明の開示】
【発明が解決しようとする課題】
【０００８】
上記のような従来の提手は、オス型取付片とメス型取付片とが提手部本体を介して一体となっているために取付け状態が安定している。しかし、その構造上、袋体を構成する側壁シートの上縁にしか取り付けることができない。そのため、例えば保冷袋のような袋体の上部全体がファスナー等によって開閉されるものにあっては、この提手は取り付けることができない。
【０００９】
この発明は上記のような課題を解決するためになされたもので、袋体の側壁シートの上縁以外の箇所にも安定した状態で取り付けることができる提手構造体を提供することを目的とする。
【課題を解決するための手段】
【００１０】
上記の目的を達成するために、請求項１記載の発明は、袋体に取り付けられた提手構造体であって、帯状の提手部本体と、袋体を構成する側壁シートの外面に取り付けられ、提手部本体の両端に接続された一対のオス型取付体と、側壁シートの内面であって、オス型取付体の各々に対向する位置に取り付けられる一対のメス型取付体とを備え、オス型取付体の各々には側壁シートを貫通して側壁シートの内面側に延びる少なくとも１つの突起体が形成され、メス型突起体の各々には、内面側に延びた突起体を挿通自在とする開口が形成されるものである。
【００１１】
このように構成すると、袋体の開口構造に拘らず、側壁シートの所望の位置に提手構造体を取り付けることができる。
【００１２】
請求項２記載の発明は、請求項１記載の発明の構成において、オス型取付体及びメス型取付体のいずれか一方は、側壁シートに貼り付けられ、突起体はメス型取付体に対して抜け止め状態に固定されるものである。
【００１３】
このように構成すると、オス型取付体とメス型取付体とは一体化する。
【００１４】
請求項３記載の発明は、請求項２記載の発明の構成において、突起体及びメス型取付体は合成樹脂よりなり、突起体は超音波振動によって溶着されてメス型取付体に固定されるものである。
【００１５】
このように構成すると、オス型取付体の突起体はメス型取付体に一体化する。
【００１６】
請求項４記載の発明は、請求項１記載の発明の構成において、オス型取付体及びメス型取付体のいずれも側壁シートに貼り付けられるものである。
【００１７】
このように構成すると、オス型取付体とメス型取付体とは側壁シートを介して一体化する。
【００１８】
請求項５記載の発明は、請求項２から請求項４のいずれかに記載の発明の構成において、袋体は上部がスライダーによって開閉自在のファスナーを有する保冷袋を含むものである。
【００１９】
このように構成すると、オス型取付体とメス型取付体とは別体であるため、袋体の開閉構造に影響を与えることはない。
【００２０】
請求項６記載の発明は、袋体に取り付けられた提手構造体であって、帯状の提手部本体と、袋体を構成する側壁シートの外面に取り付けられ、提手部本体の両端に接続された一対のメス型取付体と、側壁シートの内面であって、メス型取付体の各々に対向する位置に取り付けられる一対のオス型取付体とを備え、オス型取付体の各々には側壁シートを貫通して側壁シートの外面側に延びる少なくとも１つの突起体が形成され、メス型取付体の各々には、外面側に延びた突起体を挿通自在とする開口が形成されるものである。
【００２１】
このように構成すると、袋体の開口構造に拘らず、側壁シートの所望の位置に提手構造体を取り付けることができる。
【発明の効果】
【００２２】
以上説明したように、請求項１記載の発明は、袋体の開口構造に拘らず所望の位置に提手構造体を取り付けることができるため、使い勝手が向上する。
【００２３】
請求項２記載の発明は、請求項１記載の発明の効果に加えて、オス型取付体とメス型取付体とは一体化するため、提手の強度が向上する。
【００２４】
請求項３記載の発明は、請求項２記載の発明の効果に加えて、突起体はメス型取付体に一体化するため、取付け状態の信頼性がより向上する。
【００２５】
請求項４記載の発明は、請求項１記載の発明の効果に加えて、オス型取付体とメス型取付体とは側壁シートを介して一体化するため、提手の強度が向上する。
【００２６】
請求項５記載の発明は、請求項２から請求項４のいずれかに記載の発明の効果に加えて、オス型取付体とメス型取付体とが袋体の開閉構造に影響を与えることがないため、汎用性が高く使い勝手が向上する。
【００２７】
請求項６記載の発明は、袋体の開口構造に拘らず所望の位置に提手構造体を取り付けることができるため、使い勝手が向上する。
【発明を実施するための最良の形態】
【００２８】
図１はこの発明の第１の実施の形態による保冷袋の外観形状を示した斜視図であり、図２は図１に示されている提手構造体の部分を取り出して、その概略形状を示した分解斜視図であり、図３は図１で示したＩＩＩ−ＩＩＩラインの拡大断面図である。
【００２９】
これらの図を参照して、保冷袋１１は上部が開閉自在とされる袋体１３と、袋体１３の上方部分に取り付けられた一対の提手構造体１４ａ，提手構造体１４ｂとから構成されている。袋体１３を構成する一対の側壁シート１６ａ，側壁シート１６ｂの上縁には一対のファスナー１７ａ，ファスナー１７ｂが取り付けられており、これらはスライダー１８を操作することによって開閉自在となるように構成されている。
【００３０】
提手構造体１４ａ，提手構造体１４ｂの各々はポリエチレンの射出成形によって形成されている。具体的形状は、図２に示されているように、提手構造体１４ａは、帯状の提手部本体２１と、提手部本体２１の一方端に接続された円盤状のオス型取付体２２ａと、提手部本体２１の他方端に接続された円盤状のオス型取付体２２ｂと、オス型取付体２２ａとは別体に形成され、同様の円盤形状を有するメス型取付体２６ａと、オス型取付体２２ｂとは別体に形成され、同様の円盤形状を有するメス型取付体２６ｂとから構成されている。
【００３１】
オス型取付体２２ａの一方面には、先端が先細りの円筒形状を有する突起体２４ａ〜突起体２４ｃが一体的に形成されている。一方、メス型取付体２６ａには、突起体２４ａ〜突起体２４ｃの各々が挿通自在となるようにその径及び位置が設定された開口２８ａ〜開口２８ｃが形成されている。従って、突起体２４ａ〜突起体２４ｃの各々を開口２８ａ〜開口２８ｃの各々に挿通した状態にオス型取付体２２ａとメス型取付体２６ａとを係合させ、これらを重ねた状態に配置することが可能となる。
【００３２】
一方、同様にオス型取付体２２ｂにあっても、オス型取付体２２ａに対して同一方向の面に突起体２４と同一形状の突起体２５ａ〜突起体２５ｃが一体的に形成されている。同様にオス型取付体２２ｂに対向するメス型取付体２６ｂにも、開口２８と同一形状の開口２９ａ〜開口２９ｃが形成されている。従って、オス型取付体２２ｂとメス型取付体２６ｂとも、同様に突起体２５を開口２９に対して挿通状態にしてこれらを重ねた状態に係合させることが可能となる。
【００３３】
図３に示されているように、側壁シート１６ａはその内面側から厚さ２０μｍのポリエチレンシート３１、厚さ１ｍｍのポリエチレンフォーム３２及び、厚さ１２μｍの蒸着ポリエステルテレフタレート３３からなる３層構造のシートによって構成されている。提手構造体１４ａの側壁シート１６ａに対する取付けに際しては、オス型取付体２２ａを側壁シート１６ａの外面の所定位置に配置する。そして、オス型取付体２２ａの内面側と側壁シート１６ａの蒸着ポリエステルテレフタレート３３の外面との間のほぼ全面に樹脂系の粘着剤３５ａを塗布してこれらを貼り付ける。この状態でオス型取付体２２ａの内面側に形成されている突起体２４ａ〜突起体２４ｃの各々を、側壁シート１６ａに貫通させてポリエチレンシート３１の内面側に突き出した状態とする。
【００３４】
次に、メス型取付体２６ａを側壁シート１６ａの内面側に配置し、突起体２４ａ〜突起体２４ｃの各々が開口２８ａ〜開口２８ｃの内方を挿通するようにメス型取付体２６ａをセットする。この状態にあっては、オス型取付体２２ａの突起体２４ａ〜突起体２４ｃの各々は、その先端部が図で破線で示されているようにメス型取付体２６ａの外方面から所定長さだけ突き出た状態となっている。そこで、この突き出た部分の各々を超音波振動を加えることによってこれらを溶着（超音波接合）させ、実線で示されているようにメス型取付体２６ａの外面と一体化させる。これによって提手構造体１４ａは側壁シート１６ａに強固に取り付けられることになる。同様にして、提手構造体１４ｂも側壁シート１６ｂに対して強固に取り付けられることになる。
【００３５】
図３に示されているように、提手構造体１４ａの提手部本体２１は側壁シート１６ａの外面側に配置されており、側壁シート１６ａの内面側に位置するメス型取付体２６ａはオス型取付体２２ａに対して別体構造となっている。従って、側壁シート１６ａの上端に取り付けられているファスナー１７ａと側壁シート１６ｂの上端に取り付けられているファスナー１７ｂとを、図１に示したスライダー１８によって密着状態にして袋体１３の上方部分が完全に閉鎖された状態となっても、提手構造体１４ａ，提手構造体１４ｂの取付け状態に何ら影響を与えることはない。
【００３６】
次に、この第１の実施の形態による保冷袋における提手構造体の強度を確認するための実験結果を以下説明する。
【００３７】
図４はこの実験に際して用いられた保冷袋の寸法を説明するための概略平面図であり、図５は提手構造体の寸法を説明するための概略図である。
【００３８】
図４を参照して、保冷袋自体の構成材料等は上述の通りであるが、各寸法は以下の通りである。
側壁シート１６ａの高さＡ：４００ｍｍ
側壁シート１６ａの幅Ｂ：４３０ｍｍ
側壁シート１６ａの底部における襠Ｃ：１４０ｍｍ
オス型取付体２２ａとオス型取付体２２ｂとの取付け間隔Ｄ：１４０ｍｍ
オス型取付体２２の側壁シート１６ａの上端からの取付け距離Ｅ：７０ｍｍ
【００３９】
図５を参照して、各寸法は以下の通りである。
オス型取付体２２の直径Ｆ：４０ｍｍ
オス型取付体２２ａとオス型取付体２２ｂとの中心間距離Ｇ：５００ｍｍ
オス型取付体２２の中心から突起体２５の取付け位置までの直線距離Ｈ：１２ｍｍ
突起体２５の直径Ｉ：５ｍｍ
提手部本体２１の幅Ｊ：１５ｍｍ
メス型取付体２６の直径Ｋ：４０ｍｍ
開口２９の直径Ｌ：４．８ｍｍ
尚、提手部本体２１の厚さは１ｍｍであり、オス型取付体２２及びメス型取付体２６の厚さはいずれも１．４ｍｍである。
【００４０】
次に、実験条件について説明する。
（１）実験の前提として、上述の保冷袋に水２リットルのペットボトルを３本入れた状態とする。
（２）毎秒１回のスピードで５０ｃｍの距離を上下に運動させる。
（３）上下の往復回数の上限を１００回として、袋体が破れるか、又は提手構造体が外れる状態まで行う。
【００４１】
次に、提手構造体の取付け条件を変えた５種類の試作品を準備した。取付け条件としては、オス型取付体又はメス型取付体の袋体に対する粘着剤の使用の有無と、突起体の先端の溶着（超音波接合）の有無とである。そして、各々の試作品に対して同じものを３体準備し、実験結果としてはそれらの平均値を採用した。
【００４２】
このようにして得られた実験結果をまとめたのが次の表である。
【００４３】
【表１】
2008137696.tif 000003
この実験結果によると、試作品１及び試作品２が強度的には好ましいものとなることが判明する。尚、上下の繰り返し運動の回数を１００回としたのは、１００回程度の上下運動に耐えうるものであれば、保冷袋としての一般的な使用に十分耐えられるものとの判断によるものである。試作品１は、オス型取付体を側壁シートに貼り付け、且つ突起体を超音波接合したものである。一方、試作品２は、オス型取付体及びメス型取付体のいずれも側壁シートに貼り付けるが、突起体は超音波接合をしないものである。これらの試作品はいずれもオス型取付体とメス型取付体とが側壁シートを介して一体化していると言えることから、安定した強度を発揮すると考えられる。
【００４４】
一方、他の試作品は若干強度が落ちると言えるが、収納物の重量や使用状態によってはある程度の使用には耐えうるものと判断することができる。
【００４５】
尚、上記の実施の形態では、オス型取付体を樹脂系の粘着剤を用いて側壁シートに貼り付けているが、これに代えてホットメルト等の接着剤や両面テープ等を用いて貼り付けても良い。
【００４６】
又、上記の実施の形態では、突起体を超音波接合を用いてメス型取付体に一体化しているが、これに代えて熱溶着を用いても良い。
【００４７】
更に、上記の実施の形態では、粘着剤をオス型取付体の貼り付けに用いているが、これに代えてメス型取付体の貼り付けに用いても良い。あるいは、粘着剤をオス型取付体及びメス型取付体のいずれにも用いても良い。この場合、提手の取付強度がより向上する。
【００４８】
更に、上記の実施の形態では、粘着剤はオス型取付体のほぼ全面に塗布しているが、部分的に塗布したものであっても良い。
【００４９】
更に、上記の実施の形態では、突起体はオス型取付体に対して３本設けているが、突起体は少なくとも１本あれば良い。ただし、突起体を中心にオス型取付体が回転するのを防止するには、突起体は２本以上が好ましい。
【００５０】
更に、上記の実施の形態では、提手部本体に接続するオス型取付体に突起体を形成しているが、メス型取付体に相当する第１部品に突起体を設け、オス型取付体に相当する第２部品に突起体が係合する開口を形成するようにしても良い。この場合、突起体は側壁シートの内方側から外方側に突き出ることになるので、その先端を同様に提手部本体に接続する第２部品に超音波接合すれば良い。
【００５１】
更に、上記の実施の形態では、提手構造体を特定形状の保冷袋に適用しているが、他の形状の保冷袋であっても良く、あるいは、保冷袋以外の他の袋にも同様に適用できることは言うまでもない。
【００５２】
更に、上記の実施の形態では、提手構造体はポリエチレンの射出成形によって形成されているが、これに代えてポリプロピレン等の他の合成樹脂によるものでも良く、又、成形方法も射出成形以外の打抜き工法等の他の方法であっても良い。
【図面の簡単な説明】
【００５３】
【図１】この発明の第１の実施の形態による保冷袋の外観形状を示した斜視図である。
【図２】図１で示した提手構造体を展開した状態を示した分解斜視図である。
【図３】図１で示したＩＩＩ−ＩＩＩラインの拡大断面図である。
【図４】図１に示した保冷袋を実験するに際して袋体を中心とした各寸法を説明するための平面図である。
【図５】図１に示した保冷袋を実験するに際して提手構造体の各寸法を説明するための平面図である。
【図６】従来の紙袋の外観形状を示した斜視図である。
【図７】図６で示した提手を展開した概略斜視図である。
【図８】図６で示したＶＩＩＩ−ＶＩＩＩラインの拡大図である。
【符号の説明】
【００５４】
１１…保冷袋
１３…袋体
１４…提手構造体
１６…側壁シート
２１…提手部本体
２２…オス型取付体
２４，２５…突起体
２６…メス型取付体
２８，２９…開口
３５…粘着剤
尚、各図中同一符号は同一又は相当部分を示す。
【図１】
2008137696.tif 000004
【図２】
2008137696.tif 000005
【図３】
2008137696.tif 000006
【図４】
2008137696.tif 000007
【図５】
2008137696.tif 000008
【図６】
2008137696.tif 000009
【図７】
2008137696.tif 000010
【図８】
2008137696.tif 000011